(57)【要約】  この発明によると、ＥＳＬとＥＳＬホルダとの組合せは、ＥＳＬを上記ＥＳＬホルダに解放可能に固定するためのロック機構と、上記ＥＳＬホルダとの協働的な係合のための少なくとも１つの把持手段が設けられたＥＳＬとを含む。ＥＳＬホルダは棚の縁部に取付可能である。上記ＥＳＬホルダにはたとえば、上記把持手段と上記ロック要素とに協働的な係合して受け入れるスロットのような１つ以上の受入手段が設けられる。ばね装填要素が、把持手段が上記受入手段においてフック位置に入れられると、掛止位置にあるばね装填要素が上記ＥＳＬをＥＳＬホルダに固定するようにＥＳＬの内部に配される。掛止位置から変位すると、把持手段がフック位置から離れ、これにより、ＥＳＬホルダからＥＳＬが取外されることを可能になる。
2012520724.tif 000002
【特許請求の範囲】
【請求項１】
電子棚ラベル（ＥＳＬ）（１００）とＥＳＬホルダ（１０、４００、４１０）との組合せであって、ＥＳＬ（１００）を前記ＥＳＬホルダ（１０、４００、４１０）に解放可能に固定するためのロック機構を含み、前記ＥＳＬ（１００）には前記ＥＳＬホルダ（１０、４００、４１０）との協働的な係合のための少なくとも１つの把持手段（１２０）が設けられる前記組合せにおいて、
把持手段は、受入手段を確実に把持するために好適なフック状の形状を有し、前記ＥＳＬホルダ（１０、４００、４１０）には、前記把持手段（１２０）と前記ロック要素（１６０）とに協働的な係合をして受け入れるための１つ以上の受入手段（２０）が設けられ、前記組合せは、
ＥＳＬ（１００）において移動可能なロック板（１３５）と統合される、前記ＥＳＬホルダ（１０、４００、４１０）との協働的な係合のためのロック要素（１６０）を含み、
ＥＳＬ（１００）の内部に配される前記移動可能なロック板（１３５）の上に、ばね装填要素（１２５）が設けられ、
ロック要素（１６０）と把持手段（１２０）とは、前記ロック要素（１６０）および把持手段（１２０）が前記ＥＳＬホルダ（１０、４００、４１０）上の受入手段に挿入可能であるように位置決めされ、
これにより、挿入されると、少なくとも１つのロック要素（１６０）がＥＳＬホルダ（１０、４００、４１０）において受入手段（２０）の縁部上に載ることになるとともに、
把持手段は、フック位置の中へと変位可能となり、変位されるとロック板をＥＳＬ（１００）の内部で移動させ、
移動可能なロック板（１３５）上のばね装填要素（１２５）は、掛止め（１５５）を把持するとともに掛止位置に入ることによって、ロック要素（１６０）をロック位置に固定し、これにより、移動可能なロック板（１３５）上のばね装填要素（１２５）がばね力に抗するよう力が与えられて掛止位置を離れるまで、ＥＳＬ（１００）がＥＳＬホルダ（１０、４００、４１０）から取外されるのを防止し、
掛止位置から変位されると、移動可能なロック板（１３５）が非ロック位置に戻るように移動することを可能にし、当該移動により、把持手段がフック位置から離れるよう力が与えられると、ロック要素（１６０）は前記非ロック位置へと移され、これによりＥＳＬホルダ（１０、４００、４１０）からＥＳＬ（１００）を取外すことを可能にすることを特徴とする、組合せ。
【請求項２】
ＥＳＬ（１００）をＥＳＬホルダ（１０、４００、４１０）に解放可能に固定するための、請求項１に記載の組合せに含まれるロック機構であって、
ＥＳＬ（１００）上に設けられる、ＥＳＬホルダ（１０、４００、４１０）上の受入手段（２０）との協働的な係合のための少なくとも１つの把持手段（２０）を含むロック機構において、
前記ロック機構は、ＥＳＬ（１００）において移動可能なロック板（１３５）と統合される、前記ＥＳＬホルダ（１０、４００、４１０）との協働的な係合のための少なくとも１つのロック要素（１３５）を含み、
ロック要素（１３５）と前記把持手段（２０）とは、ＥＳＬホルダ（１０、４００、４１０）上の受入手段（２０）との協働的な係合のために配され、
前記把持手段（２０）はフック形状の断面を有し、かつＥＳＬホルダ（１０、４００、４１０）上の前記受入手段（２０）の中にフックで掛けられるようにされ、
把持手段（１２０）が前記受入手段（２０）におけるフック位置に位置決めされると、ＥＳＬホルダ（１０、４００、４１０）上に配される凹部においてロック要素（１６０）がロック状態になるように、かつ移動可能なロック板（１３５）上に配されるばね装填要素（１２５）がＥＳＬ（１００）上の掛止め（１５５）を把持して掛止位置に入るように、前記ロック要素（１６０）はＥＳＬ（１００）において移動可能なロック板と統合して配され、ばね装填要素（１２５）をロックする際の掛止め（１５５）は、ばね装填要素（１２５）が掛止位置から離れるよう力が与えられるまで、移動可能なロック板（１３５）、したがってロック要素（１６０）がロック位置を離れるのを防止し、当該移動は移動可能なロック板（１３５）、したがってロック要素（１６０）がロック状態から離れるのを可能にすることを特徴とする、ロック機構。
【請求項３】
ロック機構は、ばね装填要素（１２５）に取付けられる磁気要素（１９５）を含む、請求項２に記載のロック機構。
【請求項４】
ばね装填要素（１２５）は、少なくとも１つの移動可能な部分を有するとともに移動可能なロック板（１３５）に取付けられる弾性部材をさらに含み、磁気要素（１９５）は前記弾性部材の少なくとも１つの移動可能な部分上に配置される、請求項３に記載のロック機構。
【請求項５】
弾性部材は、少なくとも１つの自由な移動可能な部分を有するとともに移動可能なロック板（１３５）に取付けられる弾性舌部であり、磁気要素（１９５）は前記少なくとも１つの移動可能な自由な部分に取付けられる、請求項４に記載のロック機構。
【請求項６】
磁気要素は、磁界に晒されると、ばね装填要素（１２５）を掛止位置から非掛止位置に移動させ、これにより、ＥＳＬ（１００）上の把持手段（１２０）がフック位置から動かされると、ロック要素（１６０）をロック位置から非ロック位置に移動させることを可能にし、ＥＳＬ（１００）をＥＳＬホルダ（１０、４００、４１０）から取外すことを可能にする、請求項２−５のいずれか１項に記載のロック機構。
【請求項７】
前記ロック機構はＥＳＬと統合する、請求項２−６のいずれか１項に記載のロック機構。
【請求項８】
ＥＳＬホルダ（１０、４００、４１０）に対して横方向にＥＳＬ（１００）を固定するよう、ＥＳＬ（１００）上に位置決め要素（１４０）が設けられる、請求項２−７のいずれか１項に記載のロック機構。
【請求項９】
位置決め要素（１４０）およびロック要素（１６０）は同じ要素である、請求項８に記載のロック機構。
【請求項１０】
請求項１に記載の組合せに含まれるＥＳＬホルダであって、少なくとも１つのロック機構またはＥＳＬ（１００）の少なくとも１つの突出要素を受け入れるようにされる少なくとも１つの受入要素を含む、ＥＳＬホルダ。
【請求項１１】
ＥＳＬホルダ（１０、４００、４１０）は、長手方向に延在するとともに、少なくとも１つの突出要素またはＥＳＬを受け入れるようにされる棚縁レール（１０）である、請求項１０に記載のＥＳＬホルダ（１０、４００、４１０）。
【請求項１２】
前記少なくとも１つの受入要素は、ロック機構またはＥＳＬ（１００）の突出要素を受け入れるようにされる突出するフック状の要素である、請求項１０または１１に記載のＥＳＬホルダ（１０、４００、４１０）。
【請求項１３】
前記少なくとも１つの受入要素は、ロック機構またはＥＳＬの突出要素を受け入れるようにされる凹部である、請求項１０または１１に記載のＥＳＬホルダ（１０、４００、４１０）。
【請求項１４】
ＥＳＬホルダは棚縁レール（１０）であり、少なくとも１つの凹部は、レールの長手方向に延在するとともに略Ｌ字形状の断面を有する細長い凹部であり、当該Ｌ字形状の脚部は、レールの表面に対して本質的に垂直に延在し、当該Ｌ字形上の下部はレール内部の脚部に対して本質的に垂直に延在する、請求項１３に記載のＥＳＬホルダ１０。
【請求項１５】
ＥＳＬホルダは、ＥＳＬホルダ（１０、４００、４１０）に対して横方向にＥＳＬ（１００）を固定するよう位置決め要素（１４０）を受け入れるようにされる位置決め要素スロット（４０）を含む、請求項１０−１４のいずれか１項に記載のＥＳＬホルダ（１０、４００、４１０）。
【請求項１６】
ＥＳＬ（１００）を前記ＥＳＬホルダ（１０、４００、４１０）に解放可能に固定するためのロック機構を含む、ＥＳＬ（１００）とＥＳＬホルダ（１０、４００、４１０）との組合せであって、前記組合せは、
本質的に平坦なＥＳＬ取付表面を含む搭載部材と、
前記搭載部材の前記本質的に平坦な取付表面に対してＥＳＬを固定するためのロック要素（１２０）を有するＥＳＬと、
前記搭載部材は、前記本質的に平坦なＥＳＬ取付表面に設けられる、前記ロック要素を受け入れるための受入スロットを有し、
前記ロック要素は、それぞれのスロットに挿入可能な第１の部材と、それぞれのスロットに挿入可能であるフック状の形状を有するとともに前記固定部材をフック位置に位置決めするのを可能にする第２の固定部材とを含み、前記フック位置からロック要素は引き戻され得ない、組合せ。
【発明の詳細な説明】
【技術分野】
【０００１】
発明の技術分野
本発明は、電子棚ラベル（electronic shelf label（ＥＳＬ））と棚縁レールとの組合せに関する。この発明は特に、ＥＳＬを棚レール縁にロックするためにロック機構を含むこのような組合せに関する。
【背景技術】
【０００２】
発明の背景
電子ラベリングシステムは、特に大きな設備において、顧客が利用可能なサービスおよび品物についての価格などといった情報を表示するために世界中で用いられている。
【０００３】
公知の電子ラベリングシステムのなかには、電子棚ラベル（ＥＳＬ）と棚縁レールとを含むものがある。棚縁レールはしばしば棚に恒久的に搭載され、次いでＥＳＬが棚縁レールに取付けられる。窃盗または破壊行為によるＥＳＬの損失を避けるために、棚縁レールからＥＳＬを取り外すことを認められた人だけがＥＳＬを容易に取り外すことができることが望ましいが、今日利用可能なほとんどのシステムには、ＥＳＬが誰によってでも容易に棚縁レールから取除かれ得るという問題がある。
【発明の概要】
【課題を解決するための手段】
【０００４】
本発明の目的は、先行技術の欠点の少なくともいくつかを克服することである。この目的は、請求項１において規定される組合せによって達成される。
【０００５】
この発明に従うと、ＥＳＬとＥＳＬホルダとの組合せは、ＥＳＬを上記ＥＳＬホルダに解放可能に固定するためのロック機構と、上記ＥＳＬホルダとの協働的な係合のための少なくとも１つの把持手段が設けられるＥＳＬとを含む。
【０００６】
この発明は、窃盗または破壊行為によるＥＳＬの損失に関連する問題を克服するよう意図される。
【０００７】
本発明の別の目的は、棚縁レールに確実に取付けられる一方、特定および適当な用具が用いられた場合には非常に容易に取り外せるＥＳＬを提供することである。
【０００８】
本発明の別の目的は、棚縁レール上の特定の位置にＥＳＬをロックすることを可能にするとともに、ＥＳＬを横方向に摺動させることを認められていない人がＥＳＬを横方向に新しい位置へと移動させることを回避することである。
【０００９】
さらに別の本発明の目的は、受入部分内において棚レール縁の用いられていない部分、すなわちＥＳＬユニットによって占められている部分上に埃および他の望まれない粒子が溜まらない棚縁レールを提供することである。
【００１０】
この発明の実施例は、従属項において規定される。この発明の他の目的、利点、および新規な特徴は、添付図面および特許請求の範囲に関連して考慮すると、この発明の実施例の例の以下の詳細な説明から明らかになるであろう。
【００１１】
ここで、この発明の好ましい実施例を添付の図面を参照して記載する。
【図面の簡単な説明】
【００１２】
【図１ａ】互いに分離されたＥＳＬおよび棚縁レールを示す図である。
【図１ｂ】把持要素が棚縁レール上の嵌合凹部のなかに挿入され、内部の位置に移動される際のＥＳＬを示す図である。
【図１ｃ】把持手段がフック位置にあり、ばね装填要素が掛止位置にある際のＥＳＬを示す図である。
【図１ｄ】フック位置にある把持手段、ロック位置にあるロック要素、掛止位置にあるばね装填要素の展開図を示す図である。
【図１ｅ】大きなロック要素と実質的に平坦な裏面とを有するＥＳＬを示す図である。
【図１ｆ】平坦な裏面を有するＥＳＬホルダを示す図である。
【図２ａ】非ロック位置におけるＥＳＬを示す図である。
【図２ｂ】非ロック位置におけるＥＳＬを示す図である。
【図３ａ】ロック位置におけるＥＳＬを示す図である。
【図３ｂ】ロック位置におけるＥＳＬを示す図である。
【図３ｃ】移動可能なロック板の一例を示す図である。
【図４ａ】ロック位置における磁気要素を含むＥＳＬを示す図である。
【図４ｂ】ロック位置における磁気要素を含むＥＳＬを示す図である。
【図４ｃ】磁界の存在下で非ロック位置に入る際のＥＳＬを示す図である。
【図５ａ】アンロック状態において、ばね装填要素が引き起こされた張力を有するこの発明の実施例を示す図である。
【図５ｂ】アンロック状態において、ばね装填要素が引き起こされた張力を有するこの発明の実施例を示す図である。
【図５ｃ】ロック状態において、ばね装填要素が引き起こされた張力を有するこの発明の実施例を示す図である。
【図５ｄ】ロック状態において、ばね装填要素が引き起こされた張力を有するこの発明の実施例を示す図である。
【図６ａ】「清潔に保つのが容易な」レールに取り付けられるようにされる把持手段と、位置決め要素とが２つの異なる位置にある実施例を示す図である。
【図６ｂ】「清潔に保つのが容易な」レールに取り付けられるようにされる把持手段と、位置決め要素とが２つの異なる位置にある実施例を示す図である。
【図７ａ】異なる位置にある位置決め要素を有するＥＳＬの実施例を示す図である。
【図７ｂ】異なる位置にある位置決め要素を有するＥＳＬの実施例を示す図である。
【図８ａ】ＥＳＬホルダにロックされるＥＳＬを示す図である。
【図８ｂ】自立ＥＳＬホルダの一例の側面図を示す図である。
【図８ｃ】自立ＥＳＬホルダの正面図を示す図である。
【図８ｄ】長手方向に延在する棚縁レールを示す図である。
【図９ａ】板状のＥＳＬホルダに適合されるＥＳＬを示す図である。
【図９ｂ】当該板状のＥＳＬホルダを示す図である。
【図１０ａ】板状のＥＳＬホルダに適合されるＥＳＬを示す図である。
【図１０ｂ】当該ＥＳＬを示す図である。
【図１０ｃ】単純なＥＳＬの側面図である。
【図１０ｄ】単純な板状のＥＳＬホルダの側面図を示す図である。
【発明を実施するための形態】
【００１３】
実施例の詳細な説明
本発明のために、「電子棚ラベル（ＥＳＬ）１００」という用語は、価格、情報、または宣伝用メッセージを表示するとともに、当該メッセージを動的に更新または変更するのに用いられるディスプレイを有する電子ラベルを意味する。このラベルは典型的には、小売店における棚縁、ペグフック、箱、ハンガー、およびその他の場所上にて用いられる。
【００１４】
図１ａに示される本発明の一実施例では、ＥＳＬ１００とＥＳＬホルダ１０との組合せは、ＥＳＬ１００を上記ＥＳＬホルダ１０に解放可能に固定するためのロック機構を含む。ＥＳＬホルダ１０は、示される実施例では、棚縁に取付可能なレールである。レールは、略「Ｌ字」の断面を有する少なくとも１つ、示される実施例では２つの凹部を含む。この機構はさらに、多くの構成要素を含む。すなわち、略フック形状の断面を有する少なくとも１つの把持手段１２０をＥＳＬ上に含む。把持手段は、ＥＳＬの後部から外方向に延在する。この少なくとも１つの把持手段１２０は、上記ＥＳＬホルダ１０との協働的な係合のために適合される。
【００１５】
この機構はさらに移動可能なロック板１３５を含む。移動可能なロック板１３５はＥＳＬハウジングの内壁に沿って摺動可能となるようにＥＳＬ１００の内部に配される。移動可能なロック板１３５は、好適には金属からなるが、ある程度の弾力性を与え得る任意の材料も可能である。移動可能なロック板は、少なくとも１つのロック要素１６０を有する。ロック要素１６０は、示される実施例では、移動可能なロック板１３５から垂直に突出する要素である。ロック要素１６０はＥＳＬ１００の内部から、ハウジングにおける把持手段に隣接する位置にある好適なスリットを通って外方向へ延在する。スリットは、ロック要素の延在部よりも大きなサイズを有する。この理由は以下で明確になる。移動可能なロック板１３５にはさらにばね装填要素１２５が設けられる。示される実施例では、このばね装填要素１２５は、移動可能なロック板１３５において切削によってスリットを作り、屈曲し得る「舌部」を形成して、これによりばね作用が与えられるようにすることで設けられる。当該舌部は、その自由端に設けられるスロットを有する。このスロットは、掛止め要素１５５を受入れ得る。掛止め要素１５５は、示される実施例では、突出するくさび形の要素からなる。図１ｂに示される位置では、ロック要素１６０は受入手段２０上の縁部の上に載り、把持手段１２０は挿入位置にある。これにより、ばね装填要素１２５はＥＳＬ１００内において、掛止め部１５５およびスロットが嵌合しないその非掛止位置に位置することになる。
【００１６】
ロック要素１６０は、上記ＥＳＬホルダ１０との協働的な係合のために、ＥＳＬ１００上の移動可能なロック板１３５に取付けられる。ＥＳＬホルダ１０には、上述したように上記把持手段１２０と上記ロック要素１６０とに協働的な係合をして受け入れるための受入手段２０として機能する１つ以上の凹部が設けられる。ロック要素１６０は、上記ロック要素１６０が把持手段１２０とともに上記ＥＳＬホルダ１０（レール）上の受入手段２０（凹部）内に挿入可能なように、把持手段１２０に隣接して配されるとともにＥＳＬ１００の上に位置決めされる。初期位置、すなわち把持手段１２０およびロック要素が挿入されるときは、図１ｂに示されるように、上記舌部はまだ掛止め部材に対して非係合状態である。ＥＳＬ１００上の把持手段は、その後、把持手段１２０がＥＳＬホルダ１０における凹部内のフック位置に入るように下方向に変位可能である。図１ｃを参照のこと。このプロセスでは、移動可能なロック板１３５は、ロック要素１６０がレールにおける凹部の縁部上に載るので、ＥＳＬ１００内で摺動することになる。ロック要素１６０はしたがって、レールに対して載置位置にあるままである。これにより、図１ｃ−図１ｄに示されるように、ＥＳＬ１００がＥＳＬホルダ１０上のロック位置へと押されるとともに把持手段１２０が上記受入手段２０におけるフック位置に入ると、移動可能なロック板１３５はＥＳＬ１００内でＥＳＬハウジングに対して動かされる。このＥＳＬ１００に対する板の相対的運動により、舌部におけるスロットが、掛止めの上に位置決めされて、その上に嵌り込む。これにより、移動可能なロック板１３５上のばね装填要素１２５（舌部）は、掛止め１５５を把持するとともに図１ｄに詳細に示される掛止位置に入ることにより、ロック要素１６０をそのロック位置に固定する。これにより、ロック要素１６０はＥＳＬホルダ１０からＥＳＬ１００が取外されるのを防止する。この取外しは、移動可能なロック板１３５上のばね装填要素１２５にばね力に抗するよう力が与えられてその掛止位置から離されることにより把持手段１２０がそのフック位置を離れるので、ロック要素１６０がその非ロック位置に入り、これによりＥＳＬ１００がＥＳＬホルダ１０から取外すことが可能になるまで、防止される。さらに、図１ｅはＥＳＬ１００上の把持手段１２１、１２２が２つの凹部である第１の把持手段１２１および第２の把持手段１２２として配され、受入手段が２つの突出要素である第１の受入手段２１および第２の受入手段２２として配され、かつロック要素１６１は第１の把持手段１２１と第２の把持手段１２２との間を延在する実施例を示す。ＥＳＬ１００上の把持手段１２１、１２２がＥＳＬホルダ１０上の受入手段２１、２２と嵌合するとともに把持手段１２１、１２２がフック位置に動かされると、ＥＳＬ１００は、ばね装填要素１２５が適切な位置に嵌って掛止位置に入り、第１の受入手段２２の縁部上に載るロック要素１６１が第１の把持手段１２１をロック位置に固定することになるように下方向に移動される。このように、ロック機構はそれぞれ非ロック位置およびロック位置に配置され得る。この実施例におけるＥＳＬ１００は、本質的に平らな表面を有する。このＥＳＬ１００は、たとえばＥＳＬ１００を壁または厚紙箱に貼り付けるようたとえば接着剤といった固定手段を用いて本質的に平らな表面に取付ける必要がある適用例にも好適である。図１ｆは平坦な裏面を有するＥＳＬホルダ１０、４００、４１０を示す。したがって、このＥＳＬホルダ１０、４００、４１０は、たとえば接着剤のような固定手段を用いて当該ＥＳＬホルダが取付けられ得る壁、容器、厚紙箱、または任意の他の表面に直接的に取付けられ得る。
【００１７】
ＥＳＬホルダ１０は、この発明に係るＥＳＬ１００を受け入れるようにされた棚縁レール１０、自立ホルダ４００、板ホルダ４１０、または任意の他のホルダであり得る。ＥＳＬホルダ１０、４００、４１０は、受入手段２０がＥＳＬ１００の把持手段１２０を受け入れるように構成されている任意の物体として規定される。
【００１８】
ロック機構は、ＥＳＬ１００上に搭載され得るか、またはＥＳＬ１００に統合され得る。さらに、ロック機構のある部分がＥＳＬ１００に統合され、別の部分はロック機構の上／中に組みつけられてもよい。
【００１９】
図２を参照して、ロック要素が非ロック位置にあり、ばね装填要素１２５が非掛止位置にある状態のＥＳＬ１００が示される。当該図はそれぞれ、ＥＳＬ１００の内部および裏面から見たものである。図３ａおよび図３ｂは、ロック位置にあるロック要素と、掛止位置にあるばね装填要素１２５とをそれぞれＥＳＬ１００の内部および裏面から見た図を示す。移動可能なロック板１３５が図２の位置から図３の位置まで動かされると、ばね装填要素１２５はその非掛止位置から動く。ばね装填要素１２５は、ばね装填要素１２５における凹部または穴の縁部が掛止め１５５の縁部の上に摺動すると、その掛止位置内に嵌る。図２ｂおよび図３ｂはさらに、ばね装填要素１２５が掛止位置に入ると、移動可能なロック板１３５に取付けられるロック要素１６０がどのように非ロック位置から動かされてロック位置に固定されるかを示す。さらに、図３ｃは、この例では４つのロック要素１６０を有する移動可能なロック板１３５を示す。移動可能なロック板１３５がＥＳＬ１００における適切な位置に搭載されると、ロック要素１６０は、展開図１ｄから分かり得るように、ＥＳＬ１００において把持手段１２０の近傍のスロット１２８を通って外へ突き出る。しかしながらロック要素１６０は、本発明の範囲から逸脱することなく、他の位置、すなわち把持手段１２０から離れて位置決めされ得る。
【００２０】
把持手段１２０が受入手段２０における端部位置に到達し、凹部の中へと下方向（または図６ａ−図６ｂの実施例では上方向）に摺動させることによって上記受入手段２０におけるフック位置に入ると、ばね装填要素１２５は、掛止位置に入ってばね作用により掛止めを把持し、ロック要素をロック位置に固定する。これにより、ばね装填要素１２５はＥＳＬ１００が棚レール縁１０から取外されることを防止する。この取外しは、ばね装填要素１２５が掛止位置から離れるように力が与えられることによって把持手段１２０がそのフック位置から離れ、ロック要素１６０がロック位置から離れてＥＳＬ１００が棚レール縁１０から取外されることが可能になることがない限り、防止される。
【００２１】
棚縁レール１０上の受入手段２０との協働的な係合のためにＥＳＬ１００上に設けられた把持手段１２０は、棚縁レール１０上の受入手段２０を把持するために略フック形状であるのが好ましい。把持手段１２０は、受入手段２０を確実に把持するために好適な「Ｌ字形状」、より丸みを帯びたフック形状、または他の任意のフック状の形状を有してもよい。ＥＳＬ１００上に配されるロック部材１６０は、把持手段１２０とともに棚縁レール１０上の受入手段２０と相互に作用する一方、把持手段１２０は、自身のフック状の断面により、棚縁レール１０上の受入手段２０の上にフックで掛けられるようにされ得る。
【００２２】
ＥＳＬ１００上の把持手段１２０は、ＥＳＬ１００の全裏面に沿って延在して、レッジまたはリム状の構造を形成してもよい。または、把持手段１２０は１つの部分のみもしくは複数の部分を覆ってもよい。フック形状の把持手段１２０は、把持手段１２０が受入手段２０に嵌るように受入手段２０上にフックで掛かるように構成されてもよい。
【００２３】
本発明の好ましい実施例では、ロック機構に加えて、ＥＳＬ１００はさらに図４ａに示される（図４ｃ、図６ａ−図６ｂ、図７ａ−図７ｂ、図８ａ、図９ａ、および図１０ａにも示される）位置決め要素１４０を含む。位置決め要素１４０は、ＥＳＬホルダ１０、４００、４１０への取付けの間、ＥＳＬホルダ１０、４００、４１０に当接するように、ＥＳＬ１００の表面上のどこにでも配され得る。上記ＥＳＬホルダ１０、４００、４１０の嵌合面は位置決め要素スロット４０を含む。位置決め要素１４０は、ＥＳＬホルダ１０、４００、４１０に対して横方向にＥＳＬ１００を固定する。これによりＥＳＬ１００が上記ＥＳＬホルダ１０、４００、４１０上の固定位置へ入る。位置決め要素１４０は、ＥＳＬ１００の嵌合面上のどこかに配されるピンであり得る。位置決め要素スロット４０は、ＥＳＬホルダ１０、４００、４１０の嵌合面上のどこかに配される。位置決め要素１４０および位置決め要素スロット４０は、ＥＳＬ１００がＥＳＬホルダ１０、４００、４１０上に組みつけられると嵌合するようにそれぞれの嵌合面に配される。図６−図１０には、位置決め要素１４０および位置決め要素スロットの異なる位置が示される。ＥＳＬ１００をＥＳＬホルダ１０、４００、４１０に搭載すると位置決め要素１４０と位置決め要素スロットとが嵌合するようにされている限り、位置決め要素１４０をＥＳＬホルダ１０、４００、４１０上に配置し、位置決め要素スロット４０をＥＳＬ１００の嵌合面のどこかに配置することも可能である。さらに、ロック要素１６０および位置決め要素１４０は同じ要素であってもよい。
【００２４】
さらに、図４に示されるように、ばね装填要素１２５上に磁気手段が設けられてもよい。これにより、ばね装填要素１２５を引きつけることが可能になる。ばね装填要素１２５は、材料および寸法の適切な選択により、外部磁石によって引きつけられるのに十分な磁力を有し得るが、この効果は増幅されてもよい。すなわち、この発明に従うならば、ロック機構は、ばね装填要素１２５に取付けられる磁気要素１９５を含む。上記磁気要素１９５は強磁性の要素であってもよい。磁気要素１９５は、ばね装填要素１２５が外部磁石３００によって影響を受け得るようにばね装填要素１２５上に搭載される。外部磁石３００からの磁界をロック機構における磁気要素１９５に作用させることにより、ばね装填要素１２５はその掛止位置から非掛止位置に動かされる。これにより、ＥＳＬ１００を棚縁レール１０から解放する。これは、図４ｃに示される。図４ｃは磁石３００がばね装填部材１２５上の磁気要素１９５を引き付けることを示す。図１から図４に示される実施例において、ばね装填要素１２５は、たとえば磁界の存在下で、棚縁レール側からＥＳＬ１００の前側に向かう方向にばね装填要素１２５が動かされると、掛止位置から非掛止位置に移動する。図５に示されるように、掛止め１５５が掛止搭載要素１５２に搭載または統合された状態で、ばね装填要素１２５が移動可能なロック板から延ばされると、図５ｃおよび図５ｄに示される掛止位置にて静止するようにばね装填要素１２５に張力を引き起こすことも可能である。したがって、ＥＳＬ１００のアンロックを可能にするとともにばね装填要素１２５を掛止位置から非掛止位置に動かすよう、ばね装填要素１２５は、たとえば磁界の力によって、ＥＳＬ１００の棚縁レール側に向かう方向に動かされることになる。図５ｅに示されるように、ばね装填要素１２５に掛止め１５５を設けることも可能である。掛止め１５５を受け入れて掛止状態に固定するようにされる穴または凹部をＥＳＬハウジングまたは別個の要素１２７に設けることも可能である。
【００２５】
通常、外部磁石３００および磁気要素１９５はＮ極およびＳ極を有し、異なる極が互いに引かれ合い、同様の極が互いに反発しあう。したがって、外部磁石が図４ｃに示されるようにＥＳＬ１００に隣接して配置されると、外部磁石は磁力により、ばね装填要素１２５に取付けられる磁気要素１９５を引きつけて凹部から磁気要素１９５を引き戻す。この実施例では、ばね装填要素１２５は、外部磁石からの磁界に引きつけられると非掛止位置に位置決めされる。ばね装填要素１２５の掛止めを外す機構として磁石の反発力を用いることも可能である。掛止めを外すことは、Ｎ極およびＳ極を含む磁気要素をロック部材上に配置し、外部磁石３００からの反発力がばね装填要素１２５を掛止位置から非掛止位置へと反発させるように磁気要素を方向付けすることによってなされる。これにより、ロック要素１６０がロック位置から離れ、非ロック位置へと入ることを可能にする。これにより、把持手段１２０がそのフック位置を出て、その結果ＥＳＬ１００がＥＳＬホルダ１０、４００、４１０から取外される。
【００２６】
ばね装填要素１２５を掛止位置から非掛止位置に動かすために機械的なソリューションを提供することも本発明の範囲内である。これは多くの方法でなされ得る。１つの方法は、キーまたは用具を受け入れるようにされる穴をＥＳＬ１００に配し、ＥＳＬ１００の外側からの回転または圧力によって、ばね装填要素１２５を掛止位置から非掛止位置に動かすことである。
【００２７】
本発明の一実施例では、棚縁レール１０は、ロック機構および／またはＥＳＬ１００の突出要素を受け入れるようにされる少なくとも１つの受入要素２０を含む。以下の議論では、ＥＳＬ１００は、ＥＳＬ１００のみ、またはロック機構を含むＥＳＬ１００であってもよい。受入手段２０は、ＥＳＬ１００の突出要素を受け入れるようにされる凹部であってもよい。この凹部は、断面図では、ＥＳＬ１００の把持手段１２０を確実に保持するのに好適な「Ｌ字」形状であってもよく、丸みを帯びたフック形状、または他の任意のフック状の形状を有してもよい。棚縁レール１０上の受入手段２０はさらに、ＥＳＬ１００の突出要素を受け入れるようにされる突出フック状の要素であってもよい。受入手段２０はさらに、少なくとも１つの凹部と少なくとも１つの突出要素との組合せであってもよい。
【００２８】
図６ａ−図６ｂに示される本発明の別の実施例では、ＥＳＬ１００の把持手段１２０は、フックが上を向いているフック状である。したがって、把持手段１２０を受け入れるようにされる、棚縁レール１０上の受入手段２０は、ＥＳＬ１００を保持することができるよう形状決めされる。この実施例では、埃および他の埃状の粒子は把持手段１２０の内部に溜まらない。さらに、この把持手段１２０の掃除は容易であり、重力によって埃が把持手段１２０から出ていく場合さえある。図６ａ−図６ｂには、位置決め要素がＥＳＬ１００上の異なる位置にどのように位置決めされ得るかということも示される。さらに、図７ａ−図７ｂにさらに例示される位置決め要素１４０の位置は位置決め要素スロット４０に嵌るようにされるのが重要である。
【００２９】
本発明の一実施例では、少なくとも１つの凹部は、略「Ｌ字」形状の断面を有する、棚縁レール１０の長手方向に延在する細長い凹部である。当該「Ｌ字」の脚部は、棚縁レール１０の表面に本質的に垂直に延在し、「Ｌ字」の下部は棚縁レール１０内の当該脚部に本質的に垂直に延在する。ＥＳＬ１００における当該「Ｌ字」の脚部および下部の長さおよび幅、ならびに棚レール縁１０の長さおよび幅は、ＥＳＬ１００の把持手段１２０が棚縁レール１０の受入手段２０に適合するようにされる限り、変動され得る。
【００３０】
図８ａおよび図８ｄにおいて示される本発明の一実施例では、棚縁レール１０は、ＥＳＬ１００を受け入れるようにされる２つの凹部を含む。凹部は、「Ｌ字」形状の断面を有し、ＥＳＬ１００上のフック状の把持手段１２０を受け入れるようにされる。ロック要素１６０は、ＥＳＬ１００上の把持手段１２０に隣接して配される。ロック要素１６０は、ロックの際、ＥＳＬ１００が下方向に動かされて把持手段がＥＳＬホルダ１０における凹部内のフック位置に入ると、棚縁レール１０の各凹部において非ロック位置からロック位置に動かされる。この実施例では、ＥＳＬ１００の各把持手段に隣接してロック部材が存在するが、ロック部材の数を少なくとも１つにまで低減することも可能である。
【００３１】
本発明の別の実施例では、棚縁レール１０は、部分に細分され、これにより受入手段２０は上記棚縁レール１０に沿って連続的ではなくなる。上記棚縁レール１０の部分は、１つまたは複数のＥＳＬを含むようにされてもよい。
【００３２】
本発明の別の実施例では、ＥＳＬホルダ４００は、図８ｂおよび図８ｃに示される自立ホルダ４００である。自立ホルダ４００は、受入手段２０を有するＥＳＬ取付表面を含む。この取付表面は、少なくとも１つの下部２５に搭載される。この下部２５は、自立ホルダ４００を支持するとともに実質的に平坦な表面上に自己支持される。自立ホルダ４００はさらに、たとえば接着される場合には、固定位置に固定されるように傾斜する表面に配置されてもよい。下部２５はさらに、ＥＳＬ１００が取付けられる自立ホルダ４００の部分に対して異なって角度付けされる場合は、壁掛けとして機能し得る。上記自立ホルダはプラスチック材料、複合材料、または金属から形成され得るがこれらの材料に限定されない。
【００３３】
図８ｄを参照して、棚レール縁１０には、特定の長さがない。上記棚レール縁１０は、長手方向に延在し、任意の長さの棚縁上にフィットするようにされ得る。棚レール縁１０の端部は、開いていてもよいし、閉じていてもよい。長手方向に延在する棚レール縁はさらに、ＥＳＬ１００の位置決め要素１４０を受け入れるようにされる位置決め要素スロット４０を含んでもよい。位置決め要素１４０は、棚縁レール１０上の特定の位置にＥＳＬ１００を固定し、上記ＥＳＬ１００が横方向に摺動することを防止する。
【００３４】
図９ａ−図９ｂおよび図１０ａ−図１０ｄに示される本発明のさらに別の実施例では、ＥＳＬホルダ４１０は、少なくとも１つの凹部を含む板状のホルダ４１０を含む。当該凹部は、ＥＳＬ１００の把持手段１２０およびロック要素１６０を受け入れるようにされる。板状のホルダ４１０は、プラスチック、複合材料、または金属材料から形成され得る。上記板状のホルダ４１０は、ＥＳＬ１００の位置決め要素１４０を受け入れるためのスロット４０を含んでもよい。これにより、上記ＥＳＬ１００が実質的に固定された位置に固定される。板状のホルダ４１０は、棚縁レール１０上に配置され得るか、または棚縁などに直接的に取付けられてもよい。板状のホルダ４１０は非常に柔軟性があり、この発明の範囲から逸脱することなく広範囲のラベリング適用例において用いられ得るということが当業者によって理解されるべきである。板状のホルダ４１０上の受入手段２０は、ＥＳＬ１００上の把持手段１２０と嵌合するようにされることになる。板状のホルダ４１０上の受入手段２０はスロットであり得る。板状のホルダ４１０はさらにたとえば商品のような対象に取付けられ得るか、またはたとえば固定手段を用いて壁に取付けられ得る。受入手段２０が設けられる限り、ＥＳＬ１００は実際には実質的に何にでも直接的に取り付けられ得る。したがって、ＥＳＬ１００は、受入手段が箱の上に形成されるならば、たとえば厚紙箱のような箱の上に直接的に取付けられてもよい。
【００３５】
代替的な局面では、ＥＳＬ１０を上記ＥＳＬホルダ１０、４００、４１０に解放可能に固定するためのロック機構を含む、ＥＳＬ１００とＥＳＬホルダ１０、４００、４１０との組合せは、本質的に平坦なＥＳＬ取付表面を含む搭載部材を有する。これは、上で開示したタイプのいずれのレールまたはホルダであり得る。ＥＳＬ１００は、上記搭載部材の上記本質的に平坦な搭載表面に対してＥＳＬ１００を固定するためのロック要素を有する。搭載部材は、上記ロック要素を受け入れるための上記本質的に平坦なＥＳＬ取付表面に設けられる受入スロットを有する。さらに、掛止位置において掛止めにロックされることによってロック要素をロック位置に固定するばね装填要素１２５が設けられる。さらに、第２の固定部材が設けられる。第２の固定部材は、それぞれのスロットに挿入可能であるフック状の形状を有するとともに上記固定部材をフック位置に位置決めすることを可能にする。ロック要素１６０は、ロック位置に固定されている場合、このフック位置からは引き戻され得ない。
【００３６】
当業者ならば、反対のソリューション、すなわち、ロック機構および／または把持手段をＥＳＬホルダ１０、４００、４１０の部分とし、ＥＳＬ１００に受入手段２０を含ませることは自明な修正例であり、したがって本発明の範囲にあると考えられるということを、発明行為を行うことなく認識するであろう。
【００３７】
現在もっとも実際的かつ好ましい実施例と考えられるものに関連してこの発明を記載してきたが、この発明は開示した実施例に限定されることはないということが理解されるべきである。それどころか、添付の特許請求の範囲内におけるさまざまな修正例および均等な構成も包含することが意図される。
【図１ａ】
2012520724.tif 000003
【図１ｂ】
2012520724.tif 000004
【図１ｃ−ｄ】
2012520724.tif 000005
【図１ｅ】
2012520724.tif 000006
【図１ｆ】
2012520724.tif 000007
【図２ａ】
2012520724.tif 000008
【図２ｂ】
2012520724.tif 000009
【図３ａ】
2012520724.tif 000010
【図３ｂ】
2012520724.tif 000011
【図３ｃ】
2012520724.tif 000012
【図４ａ】
2012520724.tif 000013
【図４ｂ】
2012520724.tif 000014
【図４ｃ】
2012520724.tif 000015
【図５ａ】
2012520724.tif 000016
【図５ｂ】
2012520724.tif 000017
【図５ｃ】
2012520724.tif 000018
【図５ｄ】
2012520724.tif 000019
【図５ｅ】
2012520724.tif 000020
【図６ａ】
2012520724.tif 000021
【図６ｂ】
2012520724.tif 000022
【図７ａ】
2012520724.tif 000023
【図７ｂ】
2012520724.tif 000024
【図８ａ】
2012520724.tif 000025
【図８ｂ】
2012520724.tif 000026
【図８ｃ】
2012520724.tif 000027
【図８ｄ】
2012520724.tif 000028
【図９ａ】
2012520724.tif 000029
【図９ｂ】
2012520724.tif 000030
【図１０ａ】
2012520724.tif 000031
【図１０ｂ】
2012520724.tif 000032
【図１０ｃ】
2012520724.tif 000033
【図１０ｄ】
2012520724.tif 000034
【国際調査報告】
2012520724.tif 000035
2012520724.tif 000036
2012520724.tif 000037